(57)【要約】【課題】  サブロックの部品の交換やメンテナンスが行えるサッシの提供。【解決手段】  枠１と、枠１に開閉自在に支持した障子２と、障子の框８ａに設けたサブロック１９とを備え、サブロック１９は、操作部側２０と可動部側２１とに分離して構成され、操作部側２０は框見付面３０に形成した孔３１より框８ａ内に挿入して框見付面３０に取付けてあり、可動部側２１は框見込面３７に形成した孔３８より框８ａ内に挿入して框見込面３７に取付けてある。【選択図】      図４
2013087489.tif 000002
【特許請求の範囲】
【請求項１】
枠と、枠に開閉自在に支持した障子と、障子の框に設けたサブロックとを備え、サブロックは、操作部側と可動部側とに分離して構成され、操作部側は框見付面に形成した孔より框内に挿入して框見付面に取付けてあり、可動部側は框見込面に形成した孔より框内に挿入して框見込面に取付けてあることを特徴とするサッシ。
【発明の詳細な説明】
【技術分野】
【０００１】
本発明は、障子にサブロックを備えるサッシに関する。
【背景技術】
【０００２】
従来より、窓の障子にグレモン錠等の錠に加えてサブロックを設けることで、窓の防犯性を高めることが行われている。框内に設置するサブロックは、特許文献１に記載されているように従来からあるが、従来のサブロックはケースに可動部と操作部を組み付けて一体化し、障子を組む前に框に取付けており、部品の交換やメンテナンスを行うには、竪・横の框を固定しているネジを外して、框を分離しなければならない。樹脂障子の場合は、竪・横框の端部を突き合わせて融着するため、框を分離するのは困難であり、上記のようなサブロックでは部品の交換やメンテナンスが行えない。
【先行技術文献】
【特許文献】
【０００３】
【特許文献１】特開平１１−２１０２９７号公報
【発明の概要】
【発明が解決しようとする課題】
【０００４】
本発明は以上に述べた実情に鑑み、サブロックの部品の交換やメンテナンスが行えるサッシの提供を目的とする。
【課題を解決するための手段】
【０００５】
上記の課題を達成するために請求項１記載の発明によるサッシは、枠と、枠に開閉自在に支持した障子と、障子の框に設けたサブロックとを備え、サブロックは、操作部側と可動部側とに分離して構成され、操作部側は框見付面に形成した孔より框内に挿入して框見付面に取付けてあり、可動部側は框見込面に形成した孔より框内に挿入して框見込面に取付けてあることを特徴とする。
【発明の効果】
【０００６】
請求項１記載の発明によるサッシは、サブロックが操作部側と可動部側とに分離して構成され、操作部側は框見付面に形成した孔より框内に挿入して框見付面に取付けてあり、可動部側は框見込面に形成した孔より框内に挿入して框見込面に取付けてあるため、框を分離することなく操作部側と可動部側の部品を個々に取付け・取り外しでき、部品の交換やメンテナンスが容易に行える。
【図面の簡単な説明】
【０００７】
【図１】サブロックの周辺を拡大して示す室内側正面図である。
【図２】図１のＡ−Ａ断面図である。
【図３】サブロックを障子の戸先側から見た側面図である。
【図４】サブロックの分解斜視図である。
【図５】サブロックの周辺を拡大して示す室内側正面図であって、サブロックを開錠したときの状態を示す。
【図６】本発明のサッシの一実施形態を示す室内側正面図である。
【図７】同サッシの縦断面図である。
【図８】同サッシの横断面図である。
【発明を実施するための形態】
【０００８】
以下、本発明の実施の形態を図面に基づいて説明する。図６〜８は、本発明のサッシの一実施形態であって、たてすべり出し窓の場合を示している。本サッシは、躯体開口部に取付けられる枠１と、枠１に開閉自在に支持した障子２とを備えている。
枠１は、樹脂の押出形材よりなる上枠３と下枠４と左右の竪枠５ａ，５ｂを枠組みして構成してある。上枠３と下枠４と竪枠５ａ，５ｂは断面形状が同一であり、図６に示すように、それぞれ両端部を斜めに切断して突き合わせ、融着により互いに連結してある。
障子２は、樹脂の押出形材よりなる上框６と下框７と左右の竪框８ａ，８ｂを框組みし、その内側にガラス９（複層ガラス）を取付けて構成してある。上框６と下框７と竪框８ａ，８ｂは、図７，８に示すように、中空状の框本体部１０と、框本体部１０の室内側寄りに内周側に突出した中空状の室内側ガラス支持部１１と、框本体部１０の内周側の室外側寄りに形成した押縁取付部１２と、框本体部１０の室外側寄りに外周側に突出した中空状の室外側突出部１３とを一体に有する同一の断面形状となっており、押縁取付部１２に押縁１４が取付けられ、室内側ガラス支持部１１と押縁１４とでガラス９を挟持している。各框６，７，８ａ，８ｂは、図６に示すように、それぞれ両端部を斜めに切断して突き合わせ、融着により互いに連結してある。
【０００９】
障子２は、図７に示すように、上枠３と上框６間及び下枠４と下框７間に設けたフリクションステー１５ａ，１５ｂにより枠１に連結され、室外側にすべり出しつつ縦軸回りに約９０°回動して開くようになっている。枠１と障子２間の隙間は、タイト材１６ａ，１６ｂにより塞いである。
図６に示すように、戸先側の竪框８ａの長手方向中間部には、ハンドル１７の操作により施開錠するグレモン錠１８が設けてあり、同竪框８ａの下部にはサブロック１９が設けてあり、グレモン錠１８とサブロック１９とで障子２を二重に施錠できるようになっている。
【００１０】
サブロック１９は、図１〜４に示すように、操作部側２０と可動部側２１とに分離して構成され、操作部側２０は台座２２と操作片２３とピン２４とで構成され、可動部側２１はロック片２５とケース２６とで構成されている。
台座２２は、図２，４に示すように、操作片２３取付用の開口部２７と案内溝２８を有し、裏面側に設けた爪２９を竪框８ａの室内側見付面３０に形成した長孔状の孔３１に挿入係止することで、竪框８ａの室内側見付面３０に取付けてある。操作片２３は、裏面側にピン２４を差し込んで保持し、裏面側に形成した爪３２を台座２２の開口部２７の側縁に係止して、上下動可能に台座２２に取付けてある。台座２２には、図１，２，５に示すように、操作片２３を下方にスライドした施錠位置と上方にスライドした開錠位置とに停止させるストッパー部３３が設けてある。台座２２と操作片２３は樹脂製であり、ピン２４はステンレス製である。
ケース２６は、図１，４に示すように、取付板３４と、取付板３４の裏面に設けた筒状のガイド部３５と、ガイド部３５の下方に設けた係止部３６とを有し、ガイド部３５を竪框８ａの外周側の見込面３７の室内側寄りに形成した長孔状の孔３８に挿入すると共に係止部３６を孔３８の下縁に係止し、取付板３４の上部をネジ３９で竪框８ａに固定して取付けてある。ガイド部３５には、屋内側と屋内側の壁にピン２４の挿通部４０が上下方向の長孔状に形成してあり、上部内側面にロック片２５の抜け止め用の突部４１が設けてある。図２に示すように、竪框８ａの框本体部１０の中空部４２ａ内には、ケース２６取付用の裏板４３が設けてあり、裏板４３は図１，４に示すように、雌ネジ孔４４ａ，４４ｂが形成された上下の固定板４５ａ，４５ｂと、上下の固定板４５ａ，４５ｂを繋ぐ繋ぎ板４６とを有し、下部側の固定板４５ｂをネジ４７で竪框８ａに固定し、上部側の固定板４５ａの雌ネジ孔４４ａにケース２６取付用のネジ３９を螺入している。
ロック片２５は、長方形の板状に形成してあり、図１，４に示すように、ケース２６のガイド部３５に挿入して竪框８ａの長手方向に直交する左右方向にスライド可能に保持されている。ロック片２５には、ピン２４が係合する係合溝４８が右肩上がりに傾斜して設けてあり、ロック片２５の上縁部にはケース２６の突部４１と係合する凹部４９が形成してある。ケース２６のガイド部３５とロック片２５は、図２に示すように、竪框８ａの框本体部１０と室内側ガラス支持部１１の中空部４２ａ，４２ｂ内にまたがって設置されている。ケース２６は樹脂製であり、ロック片２５はステンレス製である。
【００１１】
図１に示すように、操作片２３を下方にスライドさせた状態では、ピン２４がロック片２５の係合溝４８の下端部に位置し、ロック片２５はケース２６から戸先側に突出する。竪枠５ａの内周側見込面には錠受け５０が設けてあり、突出したロック片２５が錠受け５０に係止することで、障子２が開くのを阻止する。
図５に示すように、操作片２３を上方にスライドさせると、ピン２４がロック片２５の傾斜した係合溝４８内を上方に移動するのに伴い、ロック片２５が竪枠５ａから離れる方向にスライドしてケース２６内に引っ込み、障子２のロックが解除される。
【００１２】
次に本サブロック１９の取付手順を説明する。まず、図４に示すように、予め戸先側の竪框８ａの室内側の見付面３０に台座２２取付用の孔３１を、外周側の見込面３７にケース２６取付用の孔３８とネジ３９，４７の挿通孔をそれぞれ形成しておき、竪框８ａの中空部４２ａ内に裏板４３を挿入し、ネジ４７で裏板４３を固定しておく。その後、ケース２６のガイド部３５にロック片２５を挿入した上で、ケース２６のガイド部３５を竪框見込面３７の孔３８に挿入し、ケース２６の取付板３４をネジ３９で固定する。次に、竪框８ａの見付面３０の孔３１に台座２２を取付け、ピン２４を操作片２３に取付けてから、ピン２４をロック片２５の係合溝４８に差し込みつつ操作片２３を台座２２の開口部２７に取付ける。裏板４３は、障子２を框組みする前に取付けておく必要があるが、サブロック１９の各部品、すなわちケース２６、ロック片２５、台座２２、ピン２４、操作片２３は、障子２を框組みした後からでも取付けできる。
【００１３】
以上に述べたように本サブロック１９は、操作部側２０と可動部側２１とに分離して構成され、操作部側２０の各部品２２，２３，２４を竪框８ａの見付面３０に形成した孔３１より竪框８ａ内に挿入して竪框見付面３０に取付け、可動部側２１の各部品２５，２６を竪框８ａの見込面３７に形成した孔３８より竪框８ａ内に挿入して竪框見込面３７に取付けたことで、竪横框６，７，８ａ，８ｂを融着したままの状態で、操作部側２０と可動部側２１の各部品２２，２３，２４，２５，２６を個々に取付け・取り外しでき、部品の交換やメンテナンスが容易に行える。また本サブロック１９は、竪框８ａの框本体部１０と室内側ガラス支持部１１の中空部４２ａ，４２ｂにまたがるように配置したことで、框８ａの見付寸法をスリム化しつつロック片２５のストロークを大きくすることができ、ロック片２５を竪枠５ａの錠受け５０としっかり係合させることができるため、防犯性が高い。また本サブロック１９は、可動部側２１の部品２５，２６を竪框８ａの中空部４２ａ，４２ｂ内に埋め込んでいるため、竪框８ａの外部に可動部が露出したサブロックと比較して、意匠性が優れている。さらに本サブロック１９は、操作片２３を框の長手方向にスライドさせるとロック片２５がこれと交差する方向にスライドする構造のため、障子２の竪横の框６，７，８ａ，８ｂの長手方向の任意の位置に取付け可能で取付位置の自由度が高く、障子２の開き方の違いにも容易に対応することができ、また一つの障子２に複数設置することも容易である。
【００１４】
本発明は以上に述べた実施形態に限定されない。サブロックの各部品の形状や材質は、適宜変更することができる。障子の開き方は任意であり、たてすべり出し窓に限らず、例えば開き窓や突き出し窓、回転窓等とすることもできる。障子は、室内側に開くものであってもよい。本発明は、実施形態のような枠と障子の框が樹脂で形成された樹脂サッシに限らず、枠と障子の框がアルミで形成されたアルミサッシや、枠と障子の框がアルミと樹脂の複合構造よりなるアルミ・樹脂複合サッシ等にも適用することができる。
【符号の説明】
【００１５】
１  枠
２  障子
８ａ，８ｂ  竪框（框）
１９  サブロック
２０  操作部側
２１  可動部側
３０  框見付面
３１  框見付面の孔
３７  框見込面
３８  框見込面の孔
【図１】
2013087489.tif 000003
【図２】
2013087489.tif 000004
【図３】
2013087489.tif 000005
【図４】
2013087489.tif 000006
【図５】
2013087489.tif 000007
【図６】
2013087489.tif 000008
【図７】
2013087489.tif 000009
【図８】
2013087489.tif 000010